Podtech/llm-jp-corpus-v4-ja_patent huggingface dataset:
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
局所投与用の組成物であって、重量対容量ベースで：
約５％〜２５％のメタフルミゾン；
約０％〜約１５％の架橋剤；
約２％〜約１５％の界面活性剤；および
約５０％〜８０％のキャリア溶媒
を含む、組成物。
【請求項２】
請求項１に記載の組成物であって、約１５％〜２５％のメタフルミゾンを含む、組成物。
【請求項３】
請求項１または請求項２に記載の組成物であって、前記界面活性剤が、非イオン性低泡性界面活性剤である、組成物。
【請求項４】
請求項１〜３のいずれか１項に記載の組成物であって、前記界面活性剤が、約２％〜約８％ｗ／ｖのレベルで存在する、組成物。
【請求項５】
請求項１〜４のいずれか１項に記載の組成物であって、前記架橋剤が、ジメチルスルホキシドである、組成物。
【請求項６】
請求項１〜５のいずれか１項に記載の組成物であって、前記キャリア溶媒が、γ−ヘキサラクトンである、組成物。
【請求項７】
請求項１〜５のいずれか１項に記載の組成物であって、前記キャリア溶媒が、酢酸１−メトキシ−２−プロピルである、組成物。
【請求項８】
請求項１〜７のいずれか１項に記載の組成物であって、１種以上の保存剤、着色剤、酸化防止剤または安定剤を更に２％まで含む、組成物。
【請求項９】
温血動物における外部寄生虫の感染または外寄生を予防または処置するための、請求項１〜８のいずれか１項に記載の組成物であって、該組成物は、該動物に局所投与されることを特徴とする、組成物。
【請求項１０】
請求項９に記載の組成物であって、前記動物が、ウシ、ヒツジ、ウマ、ラクダ、シカ、ブタ、ヤギ、イヌ、ネコおよびトリからなる群より選択される、組成物。
【請求項１１】
請求項９または請求項１０に記載の組成物であって、前記組成物が、約５％〜２５％のメタフルミゾン；約１０％の架橋剤；約２％〜約８％の非イオン性低泡性界面活性剤；および約５０％〜６０％のキャリア溶媒を含む、組成物。
【請求項１２】
請求項９〜１１のいずれか１項に記載の組成物であって、該組成物が、キャリア溶媒としてγ−ヘキサラクトンを含む、組成物。
【請求項１３】
請求項９〜１２のいずれか１項に記載の組成物であって、該組成物が、プア−オン組成物としての使用のために更に希釈される、組成物。
【請求項１４】
請求項９〜１１のいずれか１項に記載の組成物であって、該組成物が、前記キャリア溶媒として、酢酸１−メトキシ−２−プロピルを含む、組成物。
【請求項１５】
請求項１４に記載の組成物であって、該組成物が、散布剤または飼料／水用の添加物とし
ての使用のために更に希釈される、組成物。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
局所投与のための組成物であって、重量対重量ベースで
約５％から約３０％のメタフルミゾン；
約１％から約１５％のゲル化因子；
約０％から約８％の界面活性剤；および
約４５％から約８０％の非水性溶媒系
を包含する、組成物。
【請求項２】
請求項１に記載の組成物であって、約５％から約２０％の前記メタフルミゾン化合物を包含する、組成物。
【請求項３】
請求項１または請求項２に記載の組成物であって、約２％から約１５％の前記ゲル化因子を包含する、組成物。
【請求項４】
請求項１〜３のいずれか１項に記載の組成物であって、前記ゲル化因子が、コロイド状二酸化ケイ素、エチルセルロース、メチルセルロース、メタクリル酸エステル共重合体、カルボキシル化された酢酸ビニル三量体、ポリビニルプロピレン（ＰＶＰ）／酢酸ビニル共重合体または等価の非水性溶媒可溶性ポリマーからなる群より選択される、組成物。
【請求項５】
請求項１〜４のいずれか１項に記載の組成物であって、前記界面活性剤が、非イオン性界面活性剤である、組成物。
【請求項６】
請求項１〜４のいずれか１項に記載の組成物であって、前記界面活性剤が、ポリオキシエチレン２０ソルビタンモノオレエートである、組成物。
【請求項７】
請求項１〜６のいずれか１項に記載の組成物であって、前記界面活性剤の量が、約３％から約５％である、組成物。
【請求項８】
請求項１〜７のいずれか１項に記載の組成物であって、前記溶媒系が、γ−ヘキサラクトン：Ｎ，Ｎ−ジエチル−ｍ−トルアミド：Ｍｉｇｌｙｏｌ  ８４０の重量比で約７：１：２の混合物を含む、組成物。
【請求項９】
請求項１〜８のいずれか１項に記載の組成物であって、重量で最高約８％の、１種または１種より多い防腐剤、着色剤、抗酸化剤、または安定化剤をさらに含む、組成物。
【請求項１０】
請求項１〜９のいずれか１項に記載の組成物であって、さらに、抗シネレシス因子を含む、組成物。
【請求項１１】
温血動物における外部寄生虫の感染または外寄生を予防または処置するための、請求項１〜１０のいずれか１項に記載の組成物であって、該組成物が局所投与されることを特徴とする、組成物。
【請求項１２】
請求項１１に記載の組成物であって、前記動物が、ウシ、ヒツジ、ウマ、ラクダ、シカ、ブタ、ヤギ、イヌ、ネコおよびトリからなる群から選択される、組成物。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
次の水溶液
１）少なくとも１つの酸性化合物、
２）少なくとも１つの前記酸性化合物の塩、
３）前記溶液が５．５未満の特定のｐＨ値に達したときに検出可能な信号を発する少なくとも１つの指示薬、
を含む歯科用組成物であって
指示薬が信号を発する場合、水溶液がその特定のｐＨ値未満のｐＨを有するように１）及び２）が選択される、歯科用組成物。
【請求項２】
指示薬が、ブリリアントグリーン、エオシンイエロー、エリトロシン、メチルグリーン、メチルバイオレット、ピクリン酸、クレゾールレッド、クリスタルバイオレット；２，４−ジニトロフェノール、４−（ジメチルアミノ）−アゾベンゾール；ブロムフェノールブルー、ブロムフェノールブルーのナトリウム塩、コンゴレッド、メチルオレンジ、ブロムクレゾールグリーン、ブロムクレゾールグリーンのナトリウム塩、ｍ−クレゾールパープル、チモールブルー、チモールブルーのナトリウム塩、ｐ−キシレノールブルー；２，２'，２'''，４，４'−ペンタメトキシトリフェニルカルビノール、エオシンブルー及び「キナルジンロート」又はこれらの組み合わせから成る群から選択される、請求項１に記載の歯科用組成物。
【請求項３】
１つ以上の前記酸性化合物が、硫黄、リン及び窒素のオキシ酸から成る群から選択される、請求項１または２に記載の歯科用組成物。
【請求項４】
齲歯組織を検出するための、請求項１〜３のいずれか１項の歯科用組成物の使用。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
エステル化触媒の存在下で酸もしくは無水物とアルコールとの反応により生成された原エステルを連続的にあるいは半連続的に精製するプロセスであって、
前記原エステルを、アルカリ性のアルカリ金属塩水溶液で処理する工程を備え、
原エステルの酸度に関して理論量より少ないアルカリ金属塩を用い、
処理中に存在する水の量が、原エステルの重量を基準に０．７から１．４重量％である；
プロセス。
【請求項２】
前記エステル化触媒は、チタン触媒である；
請求項１に記載のプロセス。
【請求項３】
原エステルの処理が１００℃から１４０℃の範囲の温度で行われる；
請求項１または請求項２のプロセス。
【請求項４】
前記処理が、水分の蒸発を防止するのに充分な加圧状態で行われる；
請求項１ないし請求項３のいずれか１項に記載のプロセス。
【請求項５】
反応物が過剰に用いられ、前記アルカリ性アルカリ金属塩水溶液での処理の前に、前記過剰反応物の少なくとも５０％が前記原エステルから除去される；
請求項１ないし請求項４のいずれか１項に記載のプロセス。
【請求項６】
前記原エステルの前記水溶液による処理に続いて、水が除去される；
請求項１ないし請求項５のいずれか１項に記載のプロセス。
【請求項７】
前記処理された原エステルは、ろ過される；
請求項１ないし請求項６のいずれか１項に記載のプロセス。
【請求項８】
前記原エステルの前記アルカリ性アルカリ金属塩水溶液での処理前、処理中あるいは処理後に、ろ過助剤が前記原エステルに加えられる；
請求項７に記載のプロセス。
【請求項９】
前記原エステルの前記アルカリ性アルカリ金属塩水溶液での処理前、処理中あるいは処理後に、吸着剤が前記原エステルに加えられる；
請求項７または請求項８に記載のプロセス。
【請求項１０】
前記エステルは、可塑剤エステルである；
請求項１ないし請求項９のいずれか１項に記載のプロセス。
【請求項１１】
前記可塑剤エステルは、安息香酸エステル、フタル酸エステル、アジピン酸エステル、シクロヘキサン酸エステル、シクロヘキサジエンエステルまたはトリメリット酸エステルである；
請求項１０に記載のプロセス。
【請求項１２】
貯蔵中安定な可塑剤化合物であって：
０．０１重量ｐｐｍ未満のチタンを含有する第１のＣ６〜Ｃ１３のフタル酸エステルを含み、
チタン触媒エステル化により調整され、
０．１〜２．０重量％の酸化防止剤と、前記可塑剤の前記第１のＣ６〜Ｃ１３のフタル酸エステルを形成するのに用いたアルコールより、少なくとも２以上多い炭素原子を、あるいは少なくとも２以上少ない炭素原子を持つアルコールから形成された５０〜２５００重量ｐｐｍの第２のフタル酸エステルとを含有する；
化合物。
【請求項１３】
前記酸化防止剤は、フェノール系酸化防止剤である；
請求項１２に記載の化合物。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
任意に１つ以上の医薬として許容される担体と共に、治療有効量のブテア・モノスペルマ（Ｂｕｔｅａ  ｍｏｎｏｓｐｅｒｍａ）の任意の植物部分から得られる抽出物及び／又はその活性画分或いは治療有効量の化合物ブトリン及び／若しくはイソブトリン又はその誘導体若しくは類似体又はその医薬として許容される塩を含む、肝細胞癌の処置に有用な医薬組成物。
【請求項２】
任意に１つ以上の医薬として許容される担体と共に、治療有効量のブテア・モノスペルマ（Ｂｕｔｅａ  ｍｏｎｏｓｐｅｒｍａ）の任意の植物部分から得られる抽出物及び／又はその活性画分を含む、請求項１に記載の医薬組成物。
【請求項３】
少なくとも０．５ｇ／ｋｇ体重の単位用量で投与される、請求項２に記載の医薬組成物。
【請求項４】
任意に１つ以上の医薬として許容される担体と共に、治療有効量の化合物ブトリン及び／若しくはイソブトリン又はその誘導体若しくは類似体又はその医薬として許容される塩を含む、請求項１に記載の医薬組成物。
【請求項５】
０．５ｇ／ｋｇ体重未満の単位用量で投与される、請求項４に記載の医薬組成物。
【請求項６】
可溶形態で投与される、請求項１に記載の医薬組成物。
【請求項７】
用いられる担体が、生理食塩水、アカシアガム、カルボキシメチルセルロース及び任意の他の既知の医薬として許容される担体を含む群から選択される、請求項１に記載の医薬組成物。
【請求項８】
投与経路が、腹腔内、静脈内、筋肉内、及び経口を含む群から選択される、請求項１に記載の医薬組成物。
【請求項９】
肝細胞癌の処置のための医薬の製造における、ブテア・モノスペルマ（Ｂｕｔｅａ  ｍｏｎｏｓｐｅｒｍａ）から得られる抽出物及び生物活性画分の使用。
【請求項１０】
肝細胞癌の処置のための医薬の製造における、化合物ブトリン及びイソブトリンの使用。
【請求項１１】
ａ）植物材料を粉末にすること、
ｂ）段階（ａ）から得られた粉末を、エタノール、メタノール、水を含んで成る群から選択される溶媒を個々に又はそれらの組み合わせで用いるパーコレーションにより抽出し、抽出物を得ること、
ｃ）段階（ｂ）から得られた抽出物を、減圧下で、＜５０℃で濃縮すること、
ｄ）段階（ｃ）から得られた抽出物を、塩化エチレン、塩化メチレン、クロロホルム及び／又は酢酸エチルを含む群から選択される溶媒を用いて滴定し、残渣を得ること、
ｅ）段階（ｄ）から得られた残渣を、水相と有機相の間に分配すること、
ｆ）段階（ｅ）から得られた水性部分を乾燥し、既知の方法により所望の活性画分を得ること、
を含む、ブテア・モノスペルマ（Ｂｕｔｅａ  ｍｏｎｏｓｐｅｒｍａ）の任意の植物部分からブトリン及び／又はイソブトリンを含む生物活性画分を単離するための方法。
【請求項１２】
残渣を分画するために用いられる有機相がｎ−ブタノールである、請求項１１に記載の方法。
【誤訳訂正書】
【提出日】平成21年5月22日(2009.5.22)
【誤訳訂正１】
【訂正対象書類名】特許請求の範囲
【訂正対象項目名】全文
【訂正方法】変更
【訂正の内容】
【特許請求の範囲】
【請求項１】
同種真皮繊維芽細胞の懸濁液の有効量を含む、対象における皮下又は真皮の組織を増大するための医薬組成物であって、皮下又は真皮の組織が増大されるように、皮下又は真皮の組織への下部隣接（subadjacent）組織に注射される、前記組成物。
【請求項２】
美容的増大である、請求項１記載の医薬組成物。
【請求項３】
下部隣接（subadjacent）皮下又は真皮の組織の増大によって改善を受ける欠陥が更に特定される、請求項１又は２記載の医薬組成物。
【請求項４】
前記繊維芽細胞が継代される、請求項１〜３のいずれか１項記載の医薬組成物。
【請求項５】
前記欠陥が、皺（rhytid）、妊娠線、陥没瘢痕、非-外傷性の皮膚陥没、又は唇の発育不全である、請求項１〜４のいずれか１項記載の医薬組成物。
【請求項６】
前記懸濁液が、注射剤を形成するための有効量でフィブリンを更に含む、請求項１〜５のいずれか１項記載の医薬組成物。
【請求項７】
前記フィブリンが、0.1〜20 mg/mlの最終濃度にある、請求項６記載の医薬組成物。
【請求項８】
前記フィブリンがヒト性である、請求項６又は７記載の医薬組成物。
【請求項９】
前記懸濁液が、コラーゲン及び/又はヒアルロン酸を更に含む、請求項１〜８のいずれか１項記載の医薬組成物。
【請求項１０】
対象に対する同種源から真皮生検を得、含脂肪細胞、ケラチン生成細胞及び細胞外マトリックスが実質的にないインキュベートされた真皮繊維芽細胞を提供できるように、0.5%〜20%の非-ヒト懸濁血清を含む培養培地において、当該真皮生検から真皮繊維芽細胞を継代し、及びインキュベートされた繊維芽細胞の懸濁液を形成すること、によって同種真皮繊維芽細胞の懸濁液が形成される、請求項１〜９のいずれか１項記載の医薬組成物。
【請求項１１】
前記真皮生検がヒト新生児包皮由来から得られる、請求項１０記載の医薬組成物。
【請求項１２】
前記懸濁液が、繊維芽細胞を抜き取り、及び/又はタンパク質分解酵素及び/又はノーザイム（No-zyme）のような動物産物のない代替物に繊維芽細胞を曝露することにより形成される、請求項１０又は１１記載の医薬組成物。
【請求項１３】
前記対象がヒトである、請求項１〜１２のいずれか１項記載の医薬組成物。
【請求項１４】
104〜108の繊維芽細胞が注射される、請求項１〜１３のいずれか１項記載の医薬組成物。
【請求項１５】
1 ml容の懸濁液が注射される、請求項１〜１４のいずれか１項記載の医薬組成物。
【請求項１６】
前記細胞が、ハイポサーモゾル（登録商標）である保存培地中に懸濁される、請求項１〜１５のいずれか１項記載の医薬組成物。
【請求項１７】
前記繊維芽細胞が、少なくとも1時間、2℃〜8℃の温度で保存培地中に懸濁される、請求項１６記載の医薬組成物。
【請求項１８】
前記繊維芽細胞がハイポサーモゾル（登録商標）保存培地中に懸濁され、及び1 x107又は4 x107の繊維芽細胞が1 mlの懸濁液で注射される、請求項１〜１７のいずれか１項記載の医薬組成物。
【請求項１９】
同種真皮繊維芽細胞、場合によりハイポサーモゾル（登録商標）である保存培地を含む、皮下又は真皮の組織欠陥の治療のための医薬組成物。
【請求項２０】
同種真皮繊維芽細胞、場合によりハイポサーモゾル（登録商標）である保存培地を含む、皮下又は真皮の組織欠陥の美容的処置のための医薬。
【請求項２１】
ハイポサーモゾル（登録商標）である保存培地中に同種真皮繊維芽細胞の懸濁液を含む、対象における皮下又は真皮の組織の増大ための医薬組成物。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
式Ｉ
【化１】
2008542214.tif 000001
の化合物、または、その医薬的に許容し得る塩、多形、溶媒和物、水和物、代謝物もしくはプロドラッグ、および、少なくとも１種のＰＩ３Ｋ／ＡＫＴシグナル伝達経路阻害剤である第２の化合物を含む組合せ。
【請求項２】
該第２の化合物が、セレコキシブ、ＯＳＵ−０３０１２、ＯＳＵ−０３０１３、ＰＸ−３１６、２'−置換、３'−デオキシ−ホスファチジル−ミオ−イノシトール誘導体、３−（イミダゾ［１,２−ａ］ピリジン−３−イル）誘導体、Ｌｙ２９４００２、ＩＣ４８６０６８、３−（ヘテロ）アリールオキシ置換ベンゾ（ｂ）チオフェン誘導体、ＰＸ−８６６、ペリフォシン、トリシリビン、ＦＫＢＰ１２エンハンサー、ホスファチジルイノシトールエーテル脂質類似体、ワートマニンまたはラパマイシンまたはそれらの誘導体、または、それらの医薬的に許容し得る塩である、請求項１に記載の組合せ。
【請求項３】
該第２の化合物が、式Ｗ：
【化２】
2008542214.tif 000002
のワートマニン化合物、式Ｗのワートマニン化合物の誘導体もしくは類似体、式Ｗのワートマニン化合物の医薬的に許容し得る塩、または、式Ｗのワートマニン化合物の誘導体もしくは類似体の医薬的に許容し得る塩である、請求項１に記載の組合せ。
【請求項４】
該式Ｗの誘導体または類似体が、
ａ）式Ｗ１
【化３】
2008542214.tif 000003
（式中、Ｒは、Ｈ（１１−デスアセトキシワートマニン）またはアセトキシであり、Ｒ'はＣ１−Ｃ６アルキルである）
の化合物、
ｂ）式Ｗ２
【化４】
2008542214.tif 000004
（式中、Ｒ'はＣ１−Ｃ６アルキルである）
のΔ９,１１−デヒドロデスアセトキシワートマニン化合物、
ｃ）式Ｗ３
【化５】
2008542214.tif 000005
（式中、Ｒは、Ｈまたはアセトキシであり、Ｒ'はＣ１−Ｃ６アルキルであり、そして、Ｒ''は、Ｈ、Ｃ１−Ｃ６アルキル、−Ｃ（Ｏ）ＯＨまたは−Ｃ（Ｏ）Ｏ−Ｃ１−Ｃ６アルキルである）
の１７（α−ジヒドロ−ワートマニン化合物、
ｄ）式Ｗ４
【化６】
2008542214.tif 000006
（式中、Ｒ１は、Ｈ、メチルまたはエチルであり、Ｒ２はＨまたはメチルである）
のワートマニン化合物のＡ−環が開裂した酸またはエステル、または、
ｅ）式Ｗ５
【化７】
2008542214.tif 000007
（式中、Ｒ４は＝Ｏまたは−Ｏ（ＣＯ）Ｒ６であり、Ｒ３は、＝Ｏ、−ＯＨまたは−Ｏ（ＣＯ）Ｒ６であり、各Ｒ６は、独立して、フェニル、Ｃ１−Ｃ６アルキルまたは置換Ｃ１−Ｃ６アルキルであり、Ｒ４が＝Ｏまたは−ＯＨである場合、Ｒ３は＝Ｏではない）
のワートマニンの１１−置換および１７−置換誘導体
から選択される、請求項３に記載の組合せ。
【請求項５】
該第２の化合物がＡｋｔ−キナーゼ阻害剤である、請求項１に記載の組合せ。
【請求項６】
該第２の化合物が、Ａｋｔ−１−１、Ａｋｔ−１−１,２、ＡＰＩ−５９ＣＪ−Ｏｍｅ、１−Ｈ−イミダゾ［４,５−ｃ］ピリジニル誘導体、インドール−３−カルビノールおよびその誘導体、ペリフォシン、ホスファチジルイノシトールエーテル脂質類似体、トリシリビンまたはこれらの医薬的に許容し得る塩である、請求項１に記載の組合せ。
【請求項７】
該第２の化合物がｍＴＯＲ阻害剤である、請求項１に記載の組合せ。
【請求項８】
該第２の化合物が、ラパマイシン、テムシロリムス、エベロリムス、ＡＰ２３５７３、ＡＰ２３６７５、ＡＰ２３４６４、ＡＰ２３８４１、４０−（２−ヒドロキシエチル）ラパマイシン、４０−［３−ヒドロキシ（ヒドロキシメチル）メチルプロパノエート］−ラパマイシン、４０−エピ−（テトラゾリル）−ラパマイシン、３２−デオキソラパマイシンもしくは１６−ペンチニルオキシ−３２（Ｓ）−ジヒドロラパマイシン、ＳＡＲ９４３またはそれらの医薬的に許容し得る塩である、請求項１に記載の組合せ。
【請求項９】
式（Ｉ）の化合物およびワートマニンを含む、請求項１に記載の組合せ。
【請求項１０】
式（Ｉ）の化合物およびラパマイシンを含む、請求項１に記載の組合せ。
【請求項１１】
該組合せの有効成分の量が相乗的である、請求項１ないし請求項１０のいずれかに記載の組合せ。
【請求項１２】
癌を処置するための請求項１ないし請求項１１のいずれかに記載の組合せ。
【請求項１３】
該癌が、黒色腫、肝細胞癌、腎細胞癌、非小細胞肺癌、卵巣癌、前立腺癌、結腸直腸癌、乳癌または膵臓癌である、請求項１２に記載の組合せ。
【請求項１４】
癌を処置するための請求項１ないし請求項１１のいずれかに記載の組合せの製造方法。
【請求項１５】
該癌が、黒色腫、肝細胞癌、腎細胞癌、非小細胞肺癌、卵巣癌、前立腺癌、結腸直腸癌、乳癌または膵臓癌である、請求項１４に記載の方法。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
非経口的に受容されるコアの製造方法であって、下記工程：
（ａ）非経口投与のために受容可能であり、そしてプロタミン、ポリアルギニン、ポリオルニチン、カルボキシメチルセルロース・ナトリウム、マルトデキストリン、デキストラン、グリコーゲン、ヒアルロン酸、硫酸コンドロイチン、硫酸デルマタン、ポリビニルピロリドン、ポリエチレングリコール及びポリエチレンオキシドから選択される、少なくとも１種類のポリマーのポリマー水溶液を調製する、ここで、ポリマー濃度は０．５〜１５％の範囲である工程、
（ｂ）少なくとも１種類の非経口投与可能な生物学的活性物質を非溶解状態で用意する工程、
（ｃ）工程（ａ）のポリマー溶液に工程（ｂ）の生物学的活性物質を、重量パーセントで表現したときに、該生物学的活性物質が、前記ポリマーと前記生物学的活性物質との総重量の乾燥重量の少なくとも３０％を構成するような、前記ポリマーに対する比率で一緒にする工程、
（ｄ）工程（ｃ）で得られた組成物を連続相中の不連続相として分散させる工程、及び
（ｅ）該組成物を、該不連続相の１種類以上の有機溶媒への暴露、複合体の形成、複合体のコアセルベーション、凍結、又はこれらの組み合わせによって、凝固させて、任意に乾燥後に、エアサスペンジョン塗装に適したコアを得る工程
を含む方法。
【請求項２】
該得られたコアが、物質の８０％は１０〜２００μｍ、好ましくは２０〜１８０μｍの範囲内であるようなサイズを有する、請求項１記載の方法。
【請求項３】
工程（ｃ）における前記比率が少なくとも４０％、好ましくは少なくとも５０％、より好ましくは少なくとも６０％、そして最も好ましくは少なくとも７０％である、請求項１記載の方法。
【請求項４】
工程（ｅ）の凝固が、化学架橋剤及び／又は、ラジカル重合によって重合しうる物質の不存在下で、任意に有機溶媒中に溶解した放出調節ポリマーの不存在下で行なわれる、請求項１〜３のいずれかに記載の方法。
【請求項５】
該連続相が１種類以上の有機溶媒、１種類以上の油、１種類以上のポリマー含有水溶液、又はガスを含む、請求項１記載の方法。
【請求項６】
工程（ｅ）の凝固が、１６時間以内に、好ましくは８時間以内に、より好ましくは４時間以内に、そして最も好ましくは２時間以内に行なわれる、請求項１〜５のいずれかに記載の方法。
【請求項７】
該生物学的活性物質が免疫学的活性物質ではない、請求項１〜６のいずれかに記載の方法。
【請求項８】
請求項１〜７のいずれかに記載の方法によって得られうる、非経口的に受容されるコア。
【請求項９】
請求項８で定義したとおりのコアに放出制御シェルを適用することを含む、非経口的持続放出マイクロカプセルの製造方法。
【請求項１０】
前記適用がエアサスペンジョン塗装によって行なわれる、請求項９記載の方法。
【請求項１１】
請求項８で定義したとおりのコアと放出制御シェルを含むマイクロカプセル。
【請求項１２】
少なくとも１５％、好ましくは少なくとも２０％、より好ましくは少なくとも２５％又は最も好ましくは少なくとも３０％の生物学的活性物質の含量を有する、請求項１１記載のマイクロカプセル。
【請求項１３】
該放出制御シェルが、１種類以上のフィルム形成ポリマー又は（コ）ポリマーから製造され、前記フィルム形成ポリマー又は（コ）ポリマーがコア１ｇにつき０．３〜１０ｇ、又は０．４〜６ｇ、又は０．５〜２ｇの割合で存在する、請求項１１又は１２に記載のマイクロカプセル。
【請求項１４】
請求項８で定義したとおりのコア、又は請求項１１〜１３のいずれかで定義したとおりのマイクロカプセルを含む薬剤製剤。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
被験者中のミトコンドリアを脱共役するために治療に有効な量の自己整流ナノチューブを含むことを特徴とする薬剤組成物。
【請求項２】
活性酸素種を減少しかつ被験者のミトコンドリア中への有害なＣａ2+の負荷を減少するために治療に有効な量の自己整流ナノチューブを含むことを特徴とする薬剤組成物。
【請求項３】
被験者の体重を減らすために治療に有効な量の自己整流ナノチューブを含むことを特徴とする薬剤組成物。
【請求項４】
被験者中の癌を治療するために治療に有効な量の自己整流ナノチューブを含むことを特徴とする薬剤組成物。
【請求項５】
被験者の外傷性脳損傷の影響を減少させるために治療に有効な量の自己整流ナノチューブを含むことを特徴とする薬剤組成物。
【請求項６】
被験者の老化の影響を減らすために治療に有効な量の自己整流ナノチューブを含むことを特徴とする薬剤組成物。
【請求項７】
被験者の脊髄損傷の影響を減少させるために治療に有効な量の自己整流ナノチューブを含むことを特徴とする薬剤組成物。
【請求項８】
被験者の脳卒中の影響を低減するために治療に有効な量の自己整流ナノチューブを含むことを特徴とする薬剤組成物。
【請求項９】
前記自己整流ナノチューブはｐＫａが減少する化合物によってコーティングされていることを特徴とすることを請求項１乃至請求項８のいずれか１項に記載の薬剤組成物。
【請求項１０】
前記被験者が哺乳動物であることを特徴とする請求項１乃至請求項８のいずれか１項に記載の薬剤組成物。
【請求項１１】
前記自己整流ナノチューブはミトコンドリアを脱共役するために適切な内径を有することを特徴とする請求項１乃至請求項８のいずれか１項に記載の薬剤組成物。
【請求項１２】
前記自己整流ナノチューブは自己整流を可能にさせる内径を有することを特徴とする請求項１乃至請求項８のいずれか１項に記載の薬剤組成物。
【請求項１３】
前記自己整流ナノチューブは金属またはポリマーを含むことを特徴とする請求項１乃至請求項８のいずれか１項に記載の薬剤組成物。
【請求項１４】
前記金属は金または銀であることを特徴とする請求項１３に記載の薬剤組成物。
【請求項１５】
前記ポリマーは天然ポリマーまたは合成ポリマーであることを特徴とする請求項１３に記載の薬剤組成物。
【請求項１６】
前記ポリマーが、ポリ（ビニル・アルコール）、ポリ(エステル)、ポリグリコリド、ポリカプロラクトン、ポリ（エチレンオキシド）、ポリ(ブチレンテレフタレート)、ポリ(ヒドロキシアルカノエート)、ヒドロゲル、改質ポリ(サッカリド)、デンプン、セルロース、キトーサン、およびそれらの組み合わせからなるグループから選択されることを特徴とする請求項１３に記載の薬剤組成物。
【請求項１７】
薬学的に許容可能な担体中に自己整流ナノチューブを含む薬剤組成物であって、前記薬剤組成物は被験者に、(i)静脈内配送、(ii)摂食、(iii)遺伝子銃を経由した粒子衝撃、または(iv)真皮へのパッチあるいはゲルの適用によって投与されることを特徴とする薬剤組成物。
【手続補正書】
【提出日】平成21年6月10日(2009.6.10)
【手続補正１】
【補正対象書類名】特許請求の範囲
【補正対象項目名】請求項１
【補正方法】変更
【補正の内容】
【請求項１】
構造式：
【化１】
2008542205.tif 000001
（式中、
Ｒ１及びＲ２は、Ｈ、ハロゲン原子、−ＯＨ、及びメトキシ基から選択され；
Ｘは、ヨウ素原子、臭素原子、塩素原子、トルエンスルホニル基、メタンスルホニル基、及びトリフルオロメタンスルホニル基から選択され；
ＰｒｏｔＡ−Ｏ−は、オキシメチルエーテル基、アリルエーテル基、三級アルキルエーテル基、ベンジルエーテル基、及びシリルエーテル基から選択されるフェノール基の保護基であり；
ＰｒｏｔＢ−Ｏ−は、ＨＯ−であるか、あるいは、オキシメチルエーテル基、テトラヒドロピラニル又はテトラヒドロフラニルエーテル基、メトキシシクロヘキシルエーテル基、メトキシベンジルエーテル基、シリルエーテル基及びエステル基から選択されるベンジル型アルコール保護基であり；そして
Ｑはキラル補助基であり、前記キラル補助基が、トリフェニルグリコールの単一鏡像体、キラル中心少なくとも一つを有する環状窒素含有部分の単一鏡像体、及びキラル中心少なくとも一つを有する分岐状窒素含有部分の単一鏡像体から選択される）
で表わされる化合物の製造方法であって、
式：
【化２】
2008542205.tif 000002
で表わされる化合物を
式：
【化３】
2008542205.tif 000003
で表わされる化合物と反応させることを含む、前記化合物の製造方法。
【手続補正２】
【補正対象書類名】特許請求の範囲
【補正対象項目名】請求項３７
【補正方法】変更
【補正の内容】
【請求項３７】
式：
【化５７】
2008542205.tif 000004
（式中、
Ｒ１は、Ｈ、ハロゲン原子、−ＯＨ、及びメトキシ基から選択され；
Ｘは、ヨウ素原子、臭素原子、塩素原子、トルエンスルホニル基、メタンスルホニル基、及びトリフルオロメタンスルホニル基から選択されること；そして
ＰｒｏｔＡ−Ｏ−は、オキシメチルエーテル基、アリルエーテル基、三級アルキルエーテル基、ベンジルエーテル基、及びシリルエーテル基から選択されるフェノール基の保護基であるが、但し、ＰｒｏｔＡ−がベンジル基であり、Ｒ１がＨであり、そしてＸがＢｒである場合には、前記化合物は固体であり、そして、９５％を超える純度である）
で表わされる化合物。
【手続補正３】
【補正対象書類名】明細書
【補正対象項目名】００１０
【補正方法】変更
【補正の内容】
【００１０】
第３の方法の観点においては、本発明は
構造式ＩＶｉ：
【化９】
2008542205.tif 000005
（式中、Ｑはキラル補助基である。前記キラル補助基は、トリフェニルグリコ−ルの単一鏡像体、キラル中心少なくとも一つを有する環状窒素含有部分の単一鏡像体、及びキラル中心少なくとも一つを有する分岐状窒素含有部分の単一鏡像体から選択される）
で表わされる化合物の製造方法に関する。
前記方法は、
式Ｖ：
【化１０】
2008542205.tif 000006
で表わされる化合物を
式ＶＩ：
【化１１】
2008542205.tif 000007
で表わされる化合物と反応させることを含む。
【手続補正４】
【補正対象書類名】明細書
【補正対象項目名】００１５
【補正方法】変更
【補正の内容】
【００１５】
生成物の観点において、本発明は
式ＶＩ：
【化２４】
2008542205.tif 000008
（式中、Ｒ１がＨであり、ＸがＢｒであり、そして、ＰｒｏｔＡがベンジル基である場合には、前記化合物は９５％を超える純度の固形物でなければならない）
で表わされる化合物に関する。
【手続補正５】
【補正対象書類名】明細書
【補正対象項目名】００６４
【補正方法】変更
【補正の内容】
【００６４】
ＰｒｏｔＡ−がベンジル基であり、Ｘは臭素原子であり、そして、Ｒ１がＨである場合には、化合物は９５％より純度の高い固体である。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
トピラメートまたはこれの製薬学的に許容され得る付加塩を有効成分として含有し、そして有機溶媒を含有し、かつ、水含有量が低い、液状予備濃厚組成物。
【請求項２】
溶液である請求項１記載の組成物。
【請求項３】
有機溶媒がエタノール、グリセロール、ポリエチレングリコール（ＰＥＧ）、プロピレングリコールまたはこれらの混合物から選択される請求項１または２記載の組成物。
【請求項４】
有機溶媒がグリセロール、ＰＥＧ、プロピレングリコールまたはこれらの混合物から選択される請求項３記載の組成物。
【請求項５】
有機溶媒がグリセロール；ＰＥＧ  ４００；グリセロールとＰＥＧ  ４００、プロピレングリコールおよびこれらの混合物から選択される別の有機溶媒の混合物；またはＰＥＧ  ４００とプロピレングリコールの混合物である請求項４記載の組成物。
【請求項６】
有機溶媒がグリセロールとＰＥＧ  ４００の混合物である請求項１〜５のいずれか１項記載の組成物。
【請求項７】
有効成分がトピラメート遊離酸である請求項１〜６のいずれか１項記載の組成物。
【請求項８】
トピラメートまたはこれの製薬学的に許容され得る付加塩の濃度が約１０ｍｇ／ｍｌから約４０ｍｇ／ｍｌ（トピラメート相当）の範囲である請求項１〜７のいずれか１項記載の組成物。
【請求項９】
トピラメートまたはこれの製薬学的に許容され得る付加塩の濃度が約２０ｍｇ／ｍｌから約４０ｍｇ／ｍｌ（トピラメート相当）の範囲である請求項８記載の組成物。
【請求項１０】
トピラメートまたはこれの製薬学的に許容され得る付加塩の濃度が約３０ｍｇ／ｍｌ（トピラメート相当）である請求項９記載の組成物。
【請求項１１】
更に１種以上の防腐剤も含有する請求項１〜１０のいずれか１項記載の組成物。
【請求項１２】
１種以上の防腐剤がパラベンである請求項１１記載の組成物。
【請求項１３】
更に１種以上の甘味剤および／または１種以上の風味剤も含有する請求項１〜１２のいずれか１項記載の組成物。
【請求項１４】
更に塩基も含有する請求項１〜１３のいずれか１項記載の組成物。
【請求項１５】
水含有量が約２．５重量％以下である請求項１〜１４のいずれか１項記載の組成物。
【請求項１６】
水含有量が約１重量％以下である請求項１５記載の組成物。
【請求項１７】
下記の組成：
トピラメート（遊離酸）                                  ３０ｍｇ
パラヒドロキシ安息香酸メチル                            ２１．６ｍｇ
パラヒドロキシ安息香酸プロピル                          ２．４ｍｇ
スクラロース                                            ３０ｍｇ
グレナディン風味剤                                      ４．８ｍｇ
マスキング風味剤１１０３１−３１                        ２．４ｍｇ
水酸化ナトリウム                                        約ｐＨ７にするに適量（該
組成物を再構成させた時の
ｐＨ値を反映）
精製水                                                  ７．５μｌ
ポリエチレングリコール４００                            ５００ｍｇ
グリセロール                                            約１０００μｌにする適量を有する前請求項のいずれか１項記載の組成物。
【請求項１８】
請求項１〜１７のいずれか１項記載の組成物を水性媒体と一緒に混合することで得ることができる経口投与用液状組成物。
【請求項１９】
溶液である請求項１８記載の液状組成物。
【請求項２０】
トピラメートまたはこれの製薬学的に許容され得る付加塩の濃度が約２．５から約１０ｍｇ／ｍｌ（トピラメート相当）の範囲である請求項１８または１９記載の液状組成物。
【請求項２１】
トピラメートまたはこれの製薬学的に許容され得る付加塩の濃度が約５から約１０ｍｇ／ｍｌの範囲である請求項２０記載の液状組成物。
【請求項２２】
トピラメートまたはこれの製薬学的に許容され得る付加塩の濃度が約５ｍｇ／ｍｌである請求項２１記載の液状組成物。
【請求項２３】
請求項１７記載の組成物を約１部および水性媒体を約５部含有する請求項１８から２２のいずれか１項記載の液状組成物。
【請求項２４】
薬剤として用いるための請求項１８から２３のいずれか１項記載の液状組成物。
【請求項２５】
単純および複雑部分てんかん、一次もしくは二次性全身性発作およびレノックス・ガストー症候群を伴う発作にかかっている患者における発作、片頭痛を治療する薬剤を製造するための請求項１８〜２３のいずれか１項記載液状組成物の使用。
【請求項２６】
請求項１から１７のいずれか１項記載の組成物が入っている容器。
【請求項２７】
請求項１７記載の組成物が約１５ｍｌ入っている請求項２６記載の容器。
【請求項２８】
約１００ｍｌ収容し得る請求項２７記載の容器。
【請求項２９】
トピラメートまたはこれの製薬学的に許容される付加塩の約１０ｍｇから約４０ｍｇ（トピラメエート相当）と、エタノール、グリセロール、ＰＥＧ、プロピレングリコールおよびこれらの混合物から選択される有機溶媒の約１ｍｇを含有する組成物。
【請求項３０】
トピラメート遊離酸を約１０ｍｇから約４０ｍｇ含有する請求項２９記載の組成物。
【請求項３１】
有機溶媒がグリセロールと、ＰＥＧ、プロピレングリコールおよびその混合物から選択される別の有機溶媒の混合物である請求項２９または３０記載の組成物。
【請求項３２】
有機溶媒がグリセロールとＰＥＧの混合物である請求項３１記載の組成物。
【請求項３３】
更に１種以上の甘味剤および／または１種以上風味剤も含有する請求項２９〜３２のいずれか１項記載の組成物。
【請求項３４】
更に１種以上の防腐剤も含有する請求項２９〜３３のいずれか１項記載の組成物。
【請求項３５】
１種以上の防腐剤がパラベンである請求項３４記載の組成物。
【請求項３６】
パラベンがパラヒドロキシ安息香酸メチルおよびパラヒドロキシ安息香酸プロピルである請求項３５記載の組成物。
【請求項３７】
水含有量が低い請求項２９〜３６のいずれか１項記載組成物。
【請求項３８】
実質的に水を含有しない請求項３７記載の組成物。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
予防的有効量のテアフラビン組成物、及びテアフラビン組成物以外の治療剤を含む、炎症と関連した状態を予防するための組成物。
【請求項２】
治療的有効量のテアフラビン組成物、及びテアフラビン組成物以外の治療剤を含む、炎症と関連した状態を治療するための組成物。
【請求項３】
前記状態が炎症性障害である、請求項1又は2記載の組成物。
【請求項４】
前記障害が、喘息、脳炎、炎症性腸疾患、慢性閉塞性肺疾患(COPD)、アレルギー性障害、敗血症性ショック、線維症、未分化脊椎関節症、未分化関節症、関節炎、若年性関節炎、乾癬性関節炎、リウマチ様関節炎、乾癬、又は炎症性骨溶解である、請求項1又は2記載の組成物。
【請求項５】
有効量のテアフラビン組成物及び有効量のグルコサミン組成物を含む、関節の炎症と関連した状態を治療するための組成物。
【請求項６】
テアフラビン、テアフラビン-3-ガレート、テアフラビン-3'-ガレート、テアフラビン-3,3'-ジガレート、或いはそれらの医薬として許容し得る塩、溶媒和物又は水和物、並びにグルコサミン或いはその医薬として許容し得る塩、溶媒和物又は水和物を含む、関節の炎症と関連した状態を治療するための組成物。
【請求項７】
前記テアフラビン組成物が、テアフラビン、テアフラビン-3-ガレート、テアフラビン-3'-ガレート、テアフラビン-3,3'-ジガレート、或いはそれらの医薬として許容し得る塩、溶媒和物又は水和物を含有する、請求項1、2又は5記載の組成物。
【請求項８】
前記テアフラビン組成物が、以下のテアフラビン類：テアフラビン、テアフラビン-3-ガレート、テアフラビン-3'-ガレート及びテアフラビン-3,3'-ジガレート、或いはそれらの医薬として許容し得る塩、溶媒和物又は水和物の2種以上を含有する、請求項1、2又は5記載の組成物。
【請求項９】
テアフラビン組成物が、テアフラビン、テアフラビン-3-ガレート、テアフラビン-3'-ガレート及びテアフラビン-3,3'-ジガレートを含有する、請求項1、2又は5記載の組成物。
【請求項１０】
前記テアフラビン組成物が紅茶抽出物である、請求項1、2又は5記載の組成物。
【請求項１１】
前記グルコサミン組成物が、硫酸グルコサミン、塩酸グルコサミン又はn-アセチルグルコサミンを含有する、請求項5記載の組成物。
【請求項１２】
前記その他の治療剤が、グルコサミン、メチルスルホニルメタン、ボスウェリア抽出物、ブロメライン、ターメリック抽出物、フィーバーフュー、ホップ、フェロデンドロン、デビルズクロー抽出物、γ-リノレン酸、キャッツクロー、シス-9-セチルミリストレート、コンドロイチン、コラーゲン、魚油、オメガ-3脂肪酸、ジンジャー、イチョウ、チョウセンニンジン、ゴツコラ、グレープシード、ググリピド、メラトニン、ノニ、ニュージーランドミドリイガイ、S-アデノシル-L-メチオニン、シロヤナギ樹皮、イラクサ、鹿枝角芽、ビタミンB3、ビタミンC、ビタミンE、ホウ素、スーパーオキシドジスムターゼ、ブラックコッシュ、カイエン、メドースィート、アルファルファ、ユッカリンゴ酢、チェリージュース、ヒアルロン酸、セラドリン、メトトレキサート、TNF-α拮抗薬、カンファー、メチル/トロラミン/サリチレート/メントール、非ステロイド性抗炎症薬(NSAID)、又はオピオイド薬である、請求項1又は2記載の組成物。
【請求項１３】
少なくとも1種の他の治療剤をさらに含む、請求項5又は6記載の組成物。
【請求項１４】
前記他の治療剤が、メチルスルホニルメタン、ボスウェリア抽出物、ブロメライン、ターメリック抽出物、フィーバーフュー、ホップ、フェロデンドロン、デビルズクロー抽出物、γ-リノレン酸、キャッツクロー、シス-9-セチルミリストレート、コンドロイチン、コラーゲン、魚油、オメガ-3脂肪酸、ジンジャー、イチョウ、チョウセンニンジン、ゴツコラ、グレープシード、ググリピド、メラトニン、ノニ、ニュージーランドミドリイガイ、S-アデノシル-L-メチオニン、シロヤナギ樹皮、イラクサ、鹿枝角芽、ビタミンB3、ビタミンC、ビタミンE、ホウ素、スーパーオキシドジスムターゼ、ブラックコッシュ、カイエン、メドースィート、アルファルファ、ユッカリンゴ酢、チェリージュース、ヒアルロン酸、セラドリン、メトトレキサート、TNF-α拮抗薬、カンファー、メチル/トロラミン/サリチレート/メントール、非ステロイド性抗炎症薬(NSAID)、又はオピオイド薬である、請求項13記載の組成物。
【請求項１５】
前記テアフラビン組成物が栄養補助組成物である、請求項1、2又は5記載の組成物。
【請求項１６】
前記グルコサミン組成物が栄養補助組成物である、請求項5記載の組成物。
【請求項１７】
前記テアフラビン組成物が医薬組成物である、請求項1、2又は5記載の組成物。
【請求項１８】
前記グルコサミン組成物が医薬組成物である、請求項5記載の組成物。
【請求項１９】
前記テアフラビン組成物が食餌栄養補給物である、請求項1、2又は5記載の組成物。
【請求項２０】
前記グルコサミン組成物が食餌栄養補給物である、請求項5記載の組成物。
【請求項２１】
前記状態が、未分化脊椎関節症、未分化関節症、関節炎、反応性関節炎、リウマチ様関節炎、骨関節炎又は乾癬性関節炎である、請求項5又は6記載の組成物。
【請求項２２】
前記テアフラビン組成物の有効量が、ほぼ10mg〜ほぼ1500mgの投与量である、請求項1、2又は5記載の組成物。
【請求項２３】
前記グルコサミン組成物の有効量が、ほぼ250mg〜ほぼ3,000mgの投与量である、請求項5記載の組成物。
【請求項２４】
前記グルコサミンが、硫酸グルコサミン、塩酸グルコサミン又はn-アセチルグルコサミンである、請求項6記載の組成物。
【請求項２５】
前記組成物が栄養補助組成物である、請求項6記載の組成物。
【請求項２６】
前記組成物が医薬組成物である、請求項6記載の組成物。
【請求項２７】
前記組成物が食餌栄養補給物である、請求項6記載の組成物。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
シクロデキストリンおよびサーチュインモジュレーター、またはその薬学的に許容される塩、プロドラッグもしくは代謝誘導体を含む組成物であって、該組成物が液体であり、かつ該サーチュインモジュレーターがレスベラトロールである場合に、該組成物は、少なくとも３０ｍＭのサーチュインモジュレーターを含む、組成物。
【請求項２】
前記シクロデキストリンは、置換シクロデキストリンである、請求項１に記載の組成物。
【請求項３】
前記シクロデキストリンは、グリコピラノース部分の２−ヒドロキシル基、３−ヒドロキシル基または６−ヒドロキシル基において置換される、請求項２に記載の組成物。
【請求項４】
前記シクロデキストリンは、非結晶である、請求項２に記載の組成物。
【請求項５】
前記シクロデキストリンは、ヒドロキシプロピル−β−シクロデキストリンである、請求項２に記載の組成物。
【請求項６】
前記サーチュインモジュレーターは、サーチュイン活性化剤である、請求項１に記載の組成物。
【請求項７】
前記サーチュイン活性化剤は、レスベラトロール、そのアナログ、またはレスベラトロールもしくはそのアナログのプロドラッグである、請求項６に記載の組成物。
【請求項８】
前記サーチュイン活性化剤は、ニコチンアミドリボシド、そのアナログ、またはニコチンアミドリボシドもしくはそのアナログのプロドラッグである、請求項６に記載の組成物。
【請求項９】
前記組成物は、液体である、請求項１の組成物。
【請求項１０】
前記液体は、少なくとも３０ｍＭの前記サーチュインモジュレーターを含む、請求項９に記載の組成物。
【請求項１１】
前記液体は、少なくとも１００ｍＭの前記サーチュインモジュレーターを含む、請求項１０に記載の組成物。
【請求項１２】
前記組成物は、凍結乾燥粉末である、請求項１の組成物。
【請求項１３】
シクロデキストリンおよびサーチュインモジュレーター、またはその薬学的に許容される塩、プロドラッグもしくは代謝誘導体を含む、視覚機能障害を処置するための組成物。
【請求項１４】
サーチュインモジュレーター、またはその薬学的に許容される塩、プロドラッグもしくは代謝誘導体を含む、速溶錠。
【請求項１５】
前記錠剤は、１分間未満の経口溶解速度を有する、請求項１４に記載の速溶錠。
【請求項１６】
前記錠剤は、３０秒間未満の経口溶解速度を有する、請求項１５に記載の速溶錠。
【請求項１７】
前記錠剤は、２Ｓｔｒｏｎｇ−Ｃｏｂｂ単位〜６Ｓｔｒｏｎｇ−Ｃｏｂｂ単位の硬度を有する、請求項１４に記載の速溶錠。
【請求項１８】
前記サーチュインモジュレーターは、サーチュイン活性化剤である、請求項１４に記載の速溶錠。
【請求項１９】
前記サーチュイン活性化剤は、レスベラトロール、そのアナログ、またはレスベラトロールもしくはそのアナログのプロドラッグである、請求項１８に記載の速溶錠。
【請求項２０】
前記サーチュイン活性化剤は、ニコチンアミドリボシド、そのアナログ、またはニコチンアミドリボシドもしくはそのアナログのプロドラッグである、請求項１８に記載の速溶錠。
【請求項２１】
サーチュインモジュレーター、またはその薬学的に許容される塩、プロドラッグもしくは代謝誘導体を含む、視覚機能障害を処置するための速溶錠。
【請求項２２】
サーチュインモジュレーター、またはその薬学的に許容される塩、プロドラッグもしくは代謝誘導体を含む、移植可能なデバイス。
【請求項２３】
前記デバイスは、眼に対する移植に適している、請求項２２に記載のデバイス。
【請求項２４】
前記デバイスは、生分解性である、請求項２２に記載のデバイス。
【請求項２５】
前記デバイスは、前記サーチュインモジュレーターを少なくとも１ヶ月間にわたって放出する、請求項２２に記載のデバイス。
【請求項２６】
上記デバイスは、前記サーチュインモジュレーターを少なくとも１年間にわたって放出する、請求項２５に記載のデバイス。
【請求項２７】
前記デバイスは、前記サーチュインモジュレーターを６ヶ月間〜２年間にわたって放出する、請求項２５に記載のデバイス。
【請求項２８】
前記サーチュインモジュレーターは、サーチュイン活性化剤である、請求項２２に記載のデバイス。
【請求項２９】
前記サーチュイン活性化剤は、レスベラトロール、そのアナログ、またはレスベラトロールもしくはそのアナログのプロドラッグである、請求項２８に記載のデバイス。
【請求項３０】
前記サーチュイン活性化剤は、ニコチンアミドリボシド、そのアナログ、またはニコチンアミドリボシドもしくはそのアナログのプロドラッグである、請求項２８に記載のデバイス。
【請求項３１】
サーチュインモジュレーター、またはその薬学的に許容される塩、プロドラッグもしくは代謝誘導体を含む、視覚機能障害を処置するための移植可能なデバイス。
【請求項３２】
微粉化されたサーチュインモジュレーターまたはその薬学的に可能な塩、プロドラッグもしくは代謝誘導体を含む薬学的組成物であって、該微粉化されたサーチュインモジュレーターの粒子は、約３０ミクロン未満の平均直径を有する、薬学的組成物。
【請求項３３】
前記微粉化されたサーチュインモジュレーターの粒子は、約１０ミクロン未満の平均直径を有する、請求項３２に記載の薬学的組成物。
【請求項３４】
前記微粉化されたサーチュインモジュレーターの粒子は、約１ミクロン〜約５ミクロンの平均直径を有する、請求項３３に記載の薬学的組成物。
【請求項３５】
前記微粉化されたサーチュインモジュレーターの粒子は、約１ミクロン〜約２ミクロンの平均直径を有する、請求項３４に記載の薬学的組成物。
【請求項３６】
前記組成物は、は自由流動性の液体である、請求項３２に記載の薬学的組成物。
【請求項３７】
前記組成物は、固体投薬形態である、請求項３２に記載の薬学的組成物。
【請求項３８】
前記粒子は、エアジェット微粉化によって形成される、請求項３２に記載の薬学的組成物。
【請求項３９】
微粉化されたサーチュインモジュレーターまたはその薬学的に許容される塩、プロドラッグもしくは代謝誘導体を含む、視覚機能障害を処置するための組成物であって、該微粉化されたサーチュインモジュレーターの粒子は、約３０ミクロン未満の平均直径を有する、組成物。
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
特徴として睡眠から目覚め、睡眠に戻るのが困難であり、目覚めて５時間未満に睡眠を再開したいと望む対象の治療における使用のための医薬の製造のためのゾルピデムまたはその塩の使用。
【請求項２】
医薬が1.30×10-5モル未満の有効な睡眠を誘発する量のゾルピデムまたはその塩を含む固体医薬組成物の投与に適している請求項１記載の使用であって、固体医薬組成物の投与工程が対象が睡眠から目覚めた後に行われ、該組成物が対象の口腔粘膜を通したゾルピデムの送達を提供し、対象の口内で１０分以内に溶解または崩壊し、量が残留鎮静作用を伴わないで投与後４時間で対象を目覚めさせる、使用。
【請求項３】
固体医薬組成物がさらに結合剤および崩壊剤を含む、請求項２記載の使用。
【請求項４】
固体医薬組成物が舌下投与される、請求項２記載の使用。
【請求項５】
口腔粘膜が舌下粘膜、頬粘膜、歯肉粘膜、口蓋粘膜および唇の裏からなる群から選択される、請求項２記載の使用。
【請求項６】
ゾルピデムの最大血漿濃度（Cmax）の５０％が３０分以内に対象に到達する、請求項２記載の使用。
【請求項７】
治療的有効量のゾルピデムが３０分以内に血流に入る、請求項２記載の使用。
【請求項８】
固体医薬組成物がロゼンジである、請求項２記載の使用。
【請求項９】
固体医薬組成物が錠剤である、請求項２記載の使用。
【請求項１０】
医薬が緩衝剤を含み、対象の唾液のpHを７．８より高いpHに上昇し維持する、請求項２記載の使用。
【請求項１１】
緩衝剤が炭酸塩緩衝剤および重炭酸塩緩衝剤からなる、請求項１０記載の使用。
【請求項１２】
固体医薬組成物が高齢患者集団のためにヘミ酒石酸ゾルピデム１．５ｍｇ〜２．５ｍｇを含む、請求項２記載の使用。
【請求項１３】
固体医薬組成物が非高齢患者集団のためにヘミ酒石酸ゾルピデム３．０ｍｇ〜３．７５ｍｇを含む、請求項２記載の使用。
【請求項１４】
固体医薬組成物がさらにステアリルフマル酸ナトリウムを含む、請求項２記載の使用。